(57)【要約】【課題】  水漏れすることなく、長寿命化及び小形化を図りえるポンプ装置及び洗濯機の提供。【解決手段】  上記課題は、中間ケース５内に突出させたモータの回転軸２Ａに直結したマグネットケース９に、中間ケース５の底部内壁５Ｄとの間に隙間Ｇ１が保持される状態で、駆動側マグネット４を固着収納するとともに、ポンプケース８のポンプランナー収納室８Ａに支持軸１０を設け、この支持軸１０に、従動側マグネット６を設けたポンプランナー７を、中間ケース５の底部外壁５Ｅとの間に隙間Ｇ２が保持される状態で、回転可能に保持することにより、モータの回転によって駆動側マグネット４を回転させることで、従動側マグネット８を設けたポンプランナー７を回転させることにより、達成できる。【選択図】図２
2008008169.tif 000002
【特許請求の範囲】
【請求項１】
モータと、このモータのモータ収納室を形成するモータケースと、前記モータの回転軸に取り付けられた駆動側マグネットの駆動側マグネット収納室を形成する中間ケースと、この中間ケースの底部を介して前記駆動側マグネットに対向する従動側マグネットを設けたポンプランナーのポンプランナー収納室を形成するポンプケースと、前記ポンプランナーを回転させることで前記ポンプケースに流体を吸込ませるための吸水口と、前記ポンプランナーを回転させることで前記ポンプケース内の流体を吐出させるための吐出口を、少なくとも備え、
前記モータの回転軸を前記駆動側マグネット収納室に突出させてその回転軸に直結したマグネットケースを設け、このマグネットケースに、前記駆動側マグネットと前記中間ケースの底部内壁との間に隙間が保持される状態で、前記駆動側マグネットを設けるとともに、前記ポンプケースのポンプランナー収納室に、前記モータの回転軸の長手方向と同方向に延びる支持軸を設け、この支持軸に、前記従動側マグネットと前記中間ケースの底部外壁との間に隙間が保持される状態で、前記ポンプランナーを回転可能に保持することにより、前記モータの回転軸に取り付けられた駆動側マグネットを回転させることで、前記従動側マグネットを設けた前記ポンプランナーを回転させることによって、前記吸水口から前記ポンプケース内に吸込ませた流体を前記吐出口から吐出させてなることを特徴とするポンプ装置。
【請求項２】
前記駆動側マグネットと前記中間ケースの底部内壁との間の隙間及び前記従動側マグネットと前記中間ケースの底部外壁との間の隙間を、最大１ｍｍとするとともに、前記モータケースの外周に形成した取り付けフランジに、前記中間ケースの開口端側を介してポンプケースの開口端側を、水密的に一体保持してなることを特徴とする請求項１記載のポンプ装置。
【請求項３】
前記ポンプランナーを回転可能に支持する前記支持軸は、一端側を、前記中間ケースの底部外壁に設けたＤカット状凹部に挿入し、かつ、他端側を、前記ポンプケースの内壁面に設けた筒状凹部に挿入した後、前記中間ケースと前記ポンプケースを水密的に一体保持された状態にすることで、前記中間ケースと前記ポンプケースとの間に挟持されることを特徴とする請求項１若しくは２記載のポンプ装置。
【請求項４】
前記ポンプランナーの中心に圧入固定される軸受を、前記支持軸に嵌合する中空円筒部と、この中空円筒部の端縁に形成した円形状鍔部とから構成するとともに、前記中間ケースの底部外壁に設けたＤカット状凹部部分に中空円筒形状のセラミック体を装着して、このセラミック体に前記軸受の円形状鍔部を摺接させるようにしたことを特徴とする請求項１、２若しくは３記載のポンプ装置。
【請求項５】
前記中間ケースの底部外壁に設けたＤカット状凹部の周縁に、前記セラミック体を回動不可の状態で装着する凹み部を形成してなることを特徴とする請求項３若しくは４記載のポンプ装置。
【請求項６】
前記ポンプランナーの中心に圧入固定された軸受の内径と、前記支持軸の外周径とのクリアランスは、最大０．２ｍｍとなるように設定したことを特徴とする請求項３、４若しくは５記載のポンプ装置。
【請求項７】
前記支持軸の一部に設けた切り溝部に設けたＥリングと、少なくとも２枚以上のワッシャーとにより、前記ポンプランナーのスラスト方向のがたつきを、最大１ｍｍに抑えてなることを特徴とする請求項３、４、５若しくは６記載のポンプ装置。
【請求項８】
モータと、このモータのモータ収納室を形成するモータケースと、前記モータの回転軸に取り付けられた駆動側マグネットの駆動側マグネット収納室を形成する中間ケースと、この中間ケースの底部を介して前記駆動側マグネットに対向する従動側マグネットを設けたポンプランナーのポンプランナー収納室を形成するポンプケースと、このポンプケース内を、ポンプランナー収納室、吸込み室及び気水分離室に仕切る仕切り体と、前記ポンプランナーを回転させることで前記ポンプケースに流体を吸込ませるための吸水口と、前記ポンプランナーを回転させることで前記ポンプケース内の流体を吐出させるための吐出口と、前記ポンプランナー収納室及び気水分離室内に呼び水を注入するための呼び水口と、前記吸込み室から前記吸水口への逆流を阻止する逆止弁を、少なくとも備え、
前記モータの回転軸を前記駆動側マグネット収納室に突出させてその回転軸に直結したマグネットケースを設け、このマグネットケースに、前記駆動側マグネットと前記中間ケースの底部内壁との間に隙間が保持される状態で、前記駆動側マグネットを設けるとともに、前記ポンプケースのポンプランナー収納室に、前記モータの回転軸の長手方向と同方向に延びる支持軸を設け、この支持軸に、前記従動側マグネットと前記中間ケースの底部外壁との間に隙間が保持される状態で、前記ポンプランナーを回転可能に保持することにより、前記モータの回転軸に取り付けられた駆動側マグネットを回転させることで、前記従動側マグネットを設けた前記ポンプランナーを回転させることによって、前記吸水口から前記ポンプケース内に吸込まれた流体を前記吐出口から吐出させてなることを特徴とするポンプ装置。
【請求項９】
前記中間ケースの外底に形成した渦巻き状の流体案内壁を、前記仕切り体に形成した渦巻き状嵌合壁に嵌合させることで、前記ポンプランナーの渦巻き室となる前記ポンプランナー収納室を形成したことを特徴とする請求項８記載のポンプ装置。
【請求項１０】
前記駆動側マグネットと前記中間ケースの底部内壁との間の隙間及び前記従動側マグネットと前記中間ケースの底部外壁との間の隙間を、最大１ｍｍとするとともに、前記モータケースの外周に形成した取り付けフランジに、前記中間ケースの開口端に形成した取り付けフランジを介してポンプケースの開口端側に形成した取り付けフランジを、水密的に一体保持してなることを特徴とする請求項８若しくは９記載のポンプ装置。
【請求項１１】
外枠と、この外枠内に収納された洗濯槽と、この洗濯槽内に水道水を給水するための給水電磁弁と、この給水電磁弁から流出してきた水道水を洗濯槽内に導く水道水案内部材と、前記外枠に設けたトップカバーと、このトップカバーに前記給水電磁弁と一緒に配設した風呂水吸水用のポンプ装置を備えた洗濯機において、前記風呂水吸水用のポンプ装置を、請求項８、９若しくは１０記載のポンプ装置としたことを特徴とする洗濯機。
【発明の詳細な説明】
【技術分野】
【０００１】
本発明は、小形化及び長寿命化が可能なポンプ装置及びこのポンプ装置を備えた洗濯機に関するものである。
【背景技術】
【０００２】
従来、家庭用の全自動洗濯機及び洗濯乾燥機などの洗濯機では、主に節水を目的として浴槽の残り湯を洗濯水として利用するため自吸式のポンプ装置を搭載しており、その自吸式のポンプ装置としては、モータケースと、このモータケースに取り付けられ、かつ、吸水口、呼び水口及び吐出口を設けたポンプケースと、このモータケース内に収納されたモータと、ポンプケースに収納されたポンプランナーと、このポンプランナーの軸体と前記モータの回転軸を連結する連結手段と、前記ポンプケース内を渦巻き室及び気水分離室側と吸込み室側とに仕切る仕切り体と、前記ポンプケースの渦巻き室からモータケースのモータ収納室側への水の浸入を阻止するためのシール装置を備えたものが開発されている。
【０００３】
そして、自吸式のポンプ装置におけるシール装置としては、モータの回転軸に接続されたポンプランナーの軸体外周に可撓性シールリップを摺接させるようにした構造のものが知られている（例えば、特許文献１及び特許文献２）。
【０００４】
【特許文献１】特開平８−１３５５９０号公報
【特許文献２】特開２０００−２８８２９１号公報
【発明の開示】
【発明が解決しようとする課題】
【０００５】
しかしながら、上記モータケースのモータ収納室側への水の浸入を阻止するためのシール装置では、回転部が摺接されているため、磨耗や熱劣化は避けられず、最終的には水漏れに至るという問題があった。そして、ポンプ装置のシール装置から水漏れが発生した場合は、例えば、そのポンプ装置が収納されている全自動洗濯機などの機器類のトップカバー内に同様に収納されている電気部品類に水がかかるなどして、感電等の電気的事故をひきおこす可能性があり、危険であった。
【０００６】
そこで、最近では全自動洗濯機などの機器類に組み込まれているポンプ装置においては、ポンプケース内の水が、モータケース内に流入してきて、そのモータケースから水漏れが発生することのないものが求められている。しかも、全自動洗濯機などの機器類のトップカバー内には、様々な付加機能を有する電気部品類が収納されるため、より小形のポンプ装置が求められている。
【０００７】
本発明は、従来技術による現状を鑑みてなされたもので、その第１の目的は、ポンプケース内からモータケースのモータ収納室側への水などからなる流体の浸入を阻止することができ、長寿命化され、かつ、小形化されたポンプ装置を提供するにある。
【０００８】
さらに、本発明の第２の目的は、ポンプケース内からモータケースのモータ収納室側への水などからなる流体の浸入を阻止することができ、長寿命化され、かつ、小形化された自吸式のポンプ装置を提供するにある。
【０００９】
さらに、本発明の第３の目的は、トップカバー内に搭載したポンプ装置からの水などからなる流体の漏れを阻止することができ、長寿命化され、かつ、安全性に優れた洗濯機を提供するにある。
【課題を解決するための手段】
【００１０】
上記第１の目的を達成するために、本発明は、モータと、このモータのモータ収納室を形成するモータケースと、前記モータの回転軸に取り付けられた駆動側マグネットの駆動側マグネット収納室を形成する中間ケースと、この中間ケースの底部を介して前記駆動側マグネットに対向する従動側マグネットを設けたポンプランナーのポンプランナー収納室を形成するポンプケースと、前記ポンプランナーを回転させることで前記ポンプケースに流体を吸込ませるための吸水口と、前記ポンプランナーを回転させることで前記ポンプケース内の流体を吐出させるための吐出口を、少なくとも備え、前記モータの回転軸を前記駆動側マグネット収納室に突出させてその回転軸に直結したマグネットケースを設け、このマグネットケースに、前記駆動側マグネットと前記中間ケースの底部内壁との間に隙間が保持される状態で、前記駆動側マグネットを設けるとともに、前記ポンプケースのポンプランナー収納室に、前記モータの回転軸の長手方向と同方向に延びる支持軸を設け、この支持軸に、前記従動側マグネットと前記中間ケースの底部外壁との間に隙間が保持される状態で、前記ポンプランナーを回転可能に保持することにより、前記モータの回転軸に取り付けられた駆動側マグネットを回転させることで、前記従動側マグネットを設けた前記ポンプランナーを回転させることによって、前記吸水口から前記ポンプケース内に吸込ませた流体を前記吐出口から吐出させてなるポンプ装置としたことを特徴としている。
【００１１】
さらに、本発明は、前記駆動側マグネットと前記中間ケースの底部内壁との間の隙間及び前記従動側マグネットと前記中間ケースの底部外壁との間の隙間を、最大１ｍｍとするとともに、前記モータケースの外周に形成した取り付けフランジに、前記中間ケースの開口端側を介してポンプケースの開口端側を、水密的に一体保持してなるポンプ装置としたことを特徴としている。
【００１２】
さらに、本発明は、前記ポンプランナーを回転可能に支持する前記支持軸は、一端側を、前記中間ケースの底部外壁に設けたＤカット状凹部に挿入し、かつ、他端側を、前記ポンプケースの内壁面に設けた筒状凹部に挿入した後、前記中間ケースと前記ポンプケースを水密的に一体保持された状態にすることで、前記中間ケースと前記ポンプケースとの間に挟持されるポンプ装置としたことを特徴としている。
【００１３】
さらに、本発明は、前記ポンプランナーの中心に圧入固定される軸受を、前記支持軸に嵌合する中空円筒部と、この中空円筒部の端縁に形成した円形状鍔部とから構成するとともに、前記中間ケースの底部外壁に設けたＤカット状凹部部分に中空円筒形状のセラミック体を装着して、このセラミック体に前記軸受の円形状鍔部を摺接させるようにしたポンプ装置としたことを特徴としている。
【００１４】
さらに、本発明は、前記中間ケースの底部外壁に設けたＤカット状凹部の周縁に、前記セラミック体を回動不可の状態で装着する凹み部を形成してなるポンプ装置としたことを特徴としている。
【００１５】
さらに、本発明は、前記ポンプランナーの中心に圧入固定された軸受の内径と、前記支持軸の外周径とのクリアランスは、最大０．２ｍｍとなるように設定したポンプ装置としたことを特徴としている。
【００１６】
さらに、本発明は、前記支持軸の一部に設けた切り溝部に設けたＥリングと、少なくとも２枚以上のワッシャーとにより、前記ポンプランナーのスラスト方向のがたつきを、最大１ｍｍに抑えてなるポンプ装置としたことを特徴としている。
【００１７】
さらに、上記第２の目的を達成するために、本発明は、モータと、このモータのモータ収納室を形成するモータケースと、前記モータの回転軸に取り付けられた駆動側マグネットの駆動側マグネット収納室を形成する中間ケースと、この中間ケースの底部を介して前記駆動側マグネットに対向する従動側マグネットを設けたポンプランナーのポンプランナー収納室を形成するポンプケースと、このポンプケース内を、ポンプランナー収納室、吸込み室及び気水分離室に仕切る仕切り体と、前記ポンプランナーを回転させることで前記ポンプケースに流体を吸込ませるための吸水口と、前記ポンプランナーを回転させることで前記ポンプケース内の流体を吐出させるための吐出口と、前記ポンプランナー収納室及び気水分離室内に呼び水を注入するための呼び水口と、前記吸込み室から前記吸水口への逆流を阻止する逆止弁を、少なくとも備え、前記モータの回転軸を前記駆動側マグネット収納室に突出させてその回転軸に直結したマグネットケースを設け、このマグネットケースに、前記駆動側マグネットと前記中間ケースの底部内壁との間に隙間が保持される状態で、前記駆動側マグネットを設けるとともに、前記ポンプケースのポンプランナー収納室に、前記モータの回転軸の長手方向と同方向に延びる支持軸を設け、この支持軸に、前記従動側マグネットと前記中間ケースの底部外壁との間に隙間が保持される状態で、前記ポンプランナーを回転可能に保持することにより、前記モータの回転軸に取り付けられた駆動側マグネットを回転させることで、前記従動側マグネットを設けた前記ポンプランナーを回転させることによって、前記吸水口から前記ポンプケース内に吸込まれた流体を前記吐出口から吐出させてなるポンプ装置としたことを特徴としている。
【００１８】
さらに、本発明は、前記中間ケースの外底に形成した渦巻き状の流体案内壁を、前記仕切り体に形成した渦巻き状嵌合壁に嵌合させることで、前記ポンプランナーの渦巻き室となる前記ポンプランナー収納室を形成してなるポンプ装置としたことを特徴としている。
【００１９】
さらに、本発明は、前記駆動側マグネットと前記中間ケースの底部内壁との間の隙間及び前記従動側マグネットと前記中間ケースの底部外壁との間の隙間を、最大１ｍｍとするとともに、前記モータケースの外周に形成した取り付けフランジに、前記中間ケースの開口端に形成した取り付けフランジを介してポンプケースの開口端側に形成した取り付けフランジを、水密的に一体保持してなるポンプ装置としたことを特徴としている。
【００２０】
さらに、本発明は、外枠と、この外枠内に収納された洗濯槽と、この洗濯槽内に水道水を給水するための給水電磁弁と、この給水電磁弁から流出してきた水道水を洗濯槽内に導く水道水案内部材と、前記外枠に設けたトップカバーと、このトップカバーに前記給水電磁弁と一緒に配設した風呂水吸水用のポンプ装置を、少なくとも備えた洗濯機において、前記風呂水吸水用のポンプ装置を、請求項８、９若しくは１０記載のいずれか１つのポンプ装置としたことを特徴としている。
【発明の効果】
【００２１】
本発明によれば、モータの回転軸の貫通孔を介してモータ収納室側への水の浸入を阻止するためのメカニカルシールなどのシール装置を設けることなく、ポンプケース内からモータケースのモータ収納室側への水などからなる流体の浸入を阻止することができて、長寿命化され、かつ、小形化されたポンプ装置が得られる。
【００２２】
さらに、本発明によれば、モータの回転軸の貫通孔を介してモータ収納室側への水の浸入を阻止するためのメカニカルシールなどのシール装置を設けることなく、ポンプケース内からモータケースのモータ収納室側への水などからなる流体の浸入を阻止することができて、長寿命化され、かつ、小形化された自吸式のポンプ装置が得られる。
【００２３】
さらに、本発明によれば、ポンプ装置からトップカバー内に風呂の残り湯が流出することによる水漏れ不良を起こすことなく、安全性の優れた洗濯機が得られる。
【発明を実施するための最良の形態】
【００２４】
以下、本発明の実施形態を、図１〜図１３に基づき、詳説する。図１は、本発明の一実施形態に係る非自吸式のポンプ装置の外観斜視図である。図２は、本発明の実施形態に係る非自吸式のポンプ装置の要部縦断面図である。図３は、本発明の実施形態に係る非自吸式のポンプ装置を分解した状態を示す要部全体縦断面図である。図４は、本発明の実施形態に係る自吸式のポンプ装置の外観斜視図である。図５は、本発明の実施形態に係る自吸式のポンプ装置の要部縦断面図である。図６は、本発明の実施形態に係る自吸式のポンプ装置を分解した状態を示す要部全体縦断面図である。図７は、本発明の実施形態に係る自吸式のポンプ装置における要部拡大縦断面図である。図８は、本発明の実施形態に係る自吸式のポンプ装置の中間ケース、ポンプランナー及びポンプケース部分の分解斜視図である。図９は、本発明の他実施形態その１に係る自吸式のポンプ装置における要部拡大縦断面図である。図１０は、本発明の他実施形態その２に係る自吸式のポンプ装置の要部縦断面図である。図１１は、本発明の他実施形態その２に係る自吸式のポンプ装置を分解した状態を示す要部全体縦断面図である。図１２は本発明の実施形態に係る自吸式のポンプ装置を搭載した洗濯機の外観斜視図である。図１３は、本発明の実施形態に係る自吸式のポンプを搭載した洗濯機における収納カバーを取り除いた状態のトップカバーの要部上面図である。
【００２５】
図1〜図３に示す本発明の実施形態の非自吸式のポンプ装置１（以下は、非自吸式ポンプ装置１と称する。）は、モータ２と、このモータ２のモータ収納室３Ａを形成するモータケース３と、モータ２の回転軸２Ａに取り付けられた駆動側マグネット４の駆動側マグネット収納室５Ａを形成する中間ケース５と、この中間ケース５の底部を介して駆動側マグネット４に対向する対向面７Ａに従動側マグネット６を設けたポンプランナー７のポンプランナー収納室８Ａを形成するポンプケース８を備えている。モータケース３、中間ケース５及びポンプケース８は、合成樹脂製である。モータ２は、小形のブラシレスモータからなり、外郭形状を円筒状としてある。モータ２の回転数は、約７０００ｒ／分となるように設定されている。ポンプランナー７の外径は、約２６mmに設定されている。駆動側マグネット４及び従動側マグネット６は、同一寸法同一形状のリング状として、かつ、その外径を、ともにポンプランナー７の外径に合わせて、約２６mmとしてある。
【００２６】
モータケース３は、モータ２の外郭の円筒状部分が挿入される有底筒状のモータ挿入円筒部３Ｂと、このモータ挿入円筒部３Ｂの外周に一体形成した取り付けフランジ３Ｃと、モータ２の回転軸２Ａを中間ケース５の駆動側マグネット収納室５Ａ内に位置させるための貫通孔３Ｄから形成されている。中間ケース５は、駆動側マグネット収納室５Ａを形成する円筒部５Ｂと、この円筒部５Ｂの開口端外周に一体形成した取り付けフランジ５Ｃとから形成されている。ポンプケース８は、ポンプランナー収納室８Ａを形成する有底筒状の円筒部８Ｂと、ポンプランナー７の回転により流体をポンプケース８内に吸込ませる吸水口８Ｃと、ポンプランナー７の回転によりポンプケース８内の流体を外部に吐出させる吐出口８Ｄと、円筒部８Ｂの開口端に形成した取り付けフランジ８Ｅとから形成されている。中間ケース５の底部内壁５Ｄと底部外壁５Ｅとの間の厚さは、約１ｍｍとしてある。取り付けフランジ３Ｃ、取り付けフランジ５Ｃ及び取り付けフランジ８Ｅの外周面は、図１に示すように、非自吸式ポンプ装置１を作業台などに載置した際に、転がることがないように略方形状としてある。
【００２７】
モータ２の回転軸２Ａに直結される合成樹脂製のマグネットケース９は、駆動側マグネット４が収納固着される円筒状収納部９Ａと、モータ２の回転軸２Ａに圧入される中空ボス部９Ｂとから形成されている。穴あきコイン状の駆動側マグネット４は、マグネットケース９の円筒状収納部９Ａ内に、接着剤を用いて固着したり、若しくはインサート成形によって一体化したりすることで、設けられている。駆動側マグネット４は、マグネットケース９の円筒状収納部９Ａ内に固定した状態では、その駆動側マグネット４の上面部分４Ａを円筒状収納部９Ａの開口端縁より外方に突出させてある。
【００２８】
モータ２の回転軸２Ａにマグネットケース９の中空ボス部９Ｂが圧入固定された状態では、図２に示すように、駆動側マグネット４と中間ケース５の底部内壁５Ｄとの間に隙間Ｇ１が保持されるように、中間ケース５の円筒部５Ｂの長さやマグネットケース９の中空ボス部９Ｂのモータ２の回転軸２Ａへの圧入深さ寸法が設定されている。隙間Ｇ１は、最大１ｍｍとし、本実施形態例では、約０．５ｍｍとしてある。
【００２９】
ポンプケース８のポンプランナー収納室８Ａには、図２に示すように、モータ２の回転軸２Ａの長手方向と同方向に延びる支持軸１０が設けられている。支持軸１０は、一端側のDカット形状部１０Ａを中間ケース５の底部外壁５Ｅに設けたＤカット状凹部５Ｆに挿入し、かつ、他端側のDカット形状部１０Bをポンプケース８の内側面に設けた筒状凹部８Ｆに挿入した後、中間ケース５とポンプケース８を水密的に一体保持された状態にすることにより、中間ケース５とポンプケース８との間に回動不可の状態で挟持される。中間ケース５には、Ｄカット状凹部５Ｆを形成するために、その中間ケース５の底部内壁５Ｄ側に突出させた突出円筒部５Ｈが形成されている。この突出円筒部５Ｈは、図２に示すように、駆動側マグネット４の中央貫通孔４Ｂ内に位置するようにしてある。
【００３０】
ポンプランナー７は、図２に示すように、従動側マグネット６と中間ケース５の底部外壁５Ｅとの間に隙間Ｇ２が保持される状態で、支持軸１０に回転可能に保持される。隙間Ｇ２は、最大１ｍｍとし、本実施形態例では、約０．５ｍｍとしてある。ポンプランナー７の軸体７Ｂの中心に圧入されるカーボン製の軸受１１は、支持軸１０に嵌合する中空円筒部１１Ａと、この中空円筒部１１Ａに端縁に形成した円形状鍔部１１Ｂとから構成される。ポンプランナー７の対向面７Ａには、穴あきコイン状の従動側マグネット６が、接着剤を用いて固着したり、若しくはインサート成形によって一体化したりすることで、設けられている。その場合、従動側マグネット６は、図３に示すように、ポンプランナー７の軸体７Ｂに圧入された軸受１１の外周外方に位置するようにしてある。
【００３１】
中間ケース５の底部外壁５Ｅに設けたＤカット状凹部５Ｆの周縁には、図３に示すように、軸受１１の円形状鍔部１１Ｂに摺接するセラミック体１２を嵌合装着するための凹み部５Ｇが形成されている。セラミック体１２が凹み部５Ｇに嵌合装着した状態では、セラミック体１２が回動しないように、セラミック体１２の外周形状及び凹み部５Ｇの内周形状の何れか一方若しくは両方をDカット形状とするようにしてある。本実施形態では、セラミック体１２の外周形状を、Dカット形状としている。
【００３２】
支持軸１０には、ポンプランナー７のスラスト方向のがたつき調整用のワッシャー１３が挿入されている。支持軸１０には、ワッシャー１３の抜け止めを行うＥリング１４を取り付けるための切り溝部１０Ｃが設けられている。支持軸１０にポンプランナー７を回転自在に取り付けられた状態では、支持軸１０の一部に設けた切り溝部１０Ｃに取り付けたＥリング１４と、少なくとも２枚以上のワッシャー１３とにより、ポンプランナー７のスラスト方向のがたつきが、最大１ｍｍとなるようにし、本実施形態例では、約０．３ｍｍとなるように設定されている。また、ポンプランナー７の中心に圧入された軸受１１の内径と、支持軸１０の外周径とのクリアランスは、最大０．２ｍｍとなるように設定されている。
【００３３】
ポンプケース８の開口端側には、弾性封止部材１５を装着するための段部８Ｇが形成されている。モータケース３の外周に形成した取り付けフランジ３Ｃに、中間ケース５の開口端側に設けた取り付けフランジ５Ｃを介してポンプケース８の開口端側に設けた取り付けフランジ８Ｅを、複数本の螺子１６によって締結することで、中間ケース５とポンプケース８は水密的に一体化される。すなわち、モータケース３の取り付けフランジ３Ｃと中間ケース５の取り付けフランジ５Ｃとポンプケース８の取り付けフランジ８Ｅの３者を複数本の螺子１６で締結すると、中間ケース５とポンプケース８との間で弾性封止部材１５が圧接挟持されるので、中間ケース５とポンプケース８は水密的に一体化される。
【００３４】
モータケース３のモータ挿入円筒部３Ｂの開口端には、図３に示すように、モータ２の軸方向のがたつきを押さえるモータパッキング１７を介してモータキャップ１８が装着されている。モータケース３のモータ挿入円筒部３Ｂとモータキャップ１８との間からは、モータ２に接続された接続子１９が、モータケース３の外方に引き出されている。ポンプケース８の吸水口８Ｃには、図２の２点鎖線で示すように、吸込みホース２０が着脱自在に取り付けられる。ポンプケース８の吸水口８Ｃの内方には、複数個の通水孔８Ｈが設けられている。
【００３５】
上記実施形態の非自吸式ポンプ装置１を使用する場合は、始めに、吸込みホース２０をポンプケース８の吸水口８Ｃに装着した後、吸込みホース２０より水を、複数個の通水孔８Ｈを通してポンプケース８内に流入し、そのポンプケース８内を水で充填される。その後、モータ２が回転することで、モータ２の回転軸２Ａ先端に取り付けたマグネットケース９及び駆動用マグネット４をモータ２の回転数と同一で回転させればよい。駆動用マグネット４が回転すると、駆動用マグネット４の磁力で吸引されている従動用マグネット６が、同期回転するので、従動用マグネット６を設けたポンプランナー７が高速回転させられる。そのために、上記実施形態の非自吸式ポンプ装置１は、吸水口８Ｃからポンプケース８内に吸込ませた流体を吐出口８Ｄから吐出させる吐出専用のポンプ機能を果たすことができる。
【００３６】
上記実施形態の非自吸式ポンプ装置１の組立作業は、次のようにして行なわれる。
【００３７】
まず、モータ２を、モータケース３のモータ収納室３Ａに、そのモータ２の回転軸２Ａがモータケース３の貫通孔３Ｄから外方に突出した状態となるように、挿入する。
【００３８】
次いで、モータケース３の貫通孔３Ｄから外方に突出したモータ２の回転軸２Ａに、駆動用マグネット４を予め固定してなるマグネットケース９の中空ボス部９Ｂを、所定の深さまで圧入することにより、モータ２の回転軸２Ａにマグネットケース９を取り付ける。
【００３９】
次いで、中間ケース５をモータケース３に装着した後、中間ケース５の外側のセラミック体嵌合用の凹み部５Ｇにセラミック体１２を装着する。
【００４０】
次いで、予めワッシャー１３及びＥリング１４を装着した支持軸１０のDカット形状部１０Ａ側を、ポンプランナー７に予め装着した軸受１１を貫挿させて、中間ケース５の外底５Ｅに形成したＤカット状凹部５Ｆに嵌合させることで、従動側マグネット６が駆動用マグネット４と対向した状態となり、かつ、セラミック体１２に軸受１１の円形状鍔部１１Ｂが摺接するように、ポンプランナー７を支持軸１０に回転自在に取り付ける。
【００４１】
次いで、支持軸１０のDカット形状部１０Ｂ側をポンプケース８の筒状凹部８Ｆに嵌合させ、かつ、ポンプケース８の開口端面側に形成した段部８Ｇに、弾性封止部材１５を予め装着した状態で、中間ケース５の円筒部５Ｂの外周にポンプケース８の円筒部８Ｂを挿入させることにより、モータケース３の取り付けフランジ３Ｃに当接させた中間ケース５の取り付けフランジ５Ｃに、ポンプケース８の取り付けフランジ８Ｅを当接させる。
【００４２】
最後に、モータケース３の取り付けフランジ３Ｃと中間ケース５に設けた取り付けフランジ５Ｃとポンプケース８に設けた取り付けフランジ８Ｅを、複数個の螺子１６で締結すれば、弾性封止部材１５によって中間ケース５とポンプケース８が水密的に一体化され、非自吸式ポンプ装置１の組立作業が終了する。
【００４３】
上記実施形態の非自吸式ポンプ装置１によれば、モータ２を回転させると、中間ケース５の駆動側マグネット収納室５Ａ内で、マグネットケース９及び駆動側マグネット４が高速回転する。駆動側マグネット４が高速回転すると、従動側マグネット６を設けたポンプランナー７が、高速回転して、吸水口８Ｃからポンプケース８内に流入した流体を吐出口８Ｄから効率よく流出させることができる。この場合、ポンプケース８内の流体が、中間ケース５により遮断されて、モータケース３のモータ収納室３Ａ側に浸入することがないので、モータ２及びモータ２の周りに付設した電気部品を流体で濡らすことがないとともに、モータケース３のモータ収納室３Ａ側に浸入した流体が、そのモータケース３から外部に流出して、非自吸式ポンプ装置１と一緒に設置されている電気部品を濡らしてしまうようなことがなくなるので、安全性が高く、かつ、長寿命化が図られる。しかも、上記非自吸式ポンプ装置１によれば、縦寸法約７５ｍｍ×横寸法約１１６ｍｍ×高さ約７９ｍｍ以内という小形化が可能であり、かつ、小形化されても、押上げ高さ約１ｍのときに、吐出流量約１０リットル／分というポンプ性能が得られる。
【００４４】
さらに、上記実施形態の非自吸式ポンプ装置１によれば、モータケース３におけるモータ２の回転軸２Ａの突出側を覆うように、中間ケース５をモータケース３に取り付けられるとともに、その中間ケース５の外周にポンプケース８が水密的に取り付けられているので、モータケース３の貫通孔３Ｄからモータ収納室３Ａ内にポンプケース８内の水（流体）が流れ込むことがないので、モータ収納室３Ａ側への水の浸入を阻止するための、メカニカルシールなどの特別なシール装置を設ける必要性がなくなったため、安価で生産性が向上する。
【００４５】
さらに、上記実施形態の非自吸式ポンプ装置１によれば、駆動側マグネット４と従動側マグネット６は、同一寸法同一形状として、互換性可能としてあるので、１種類のマグネットでよく、生産管理等が簡単となる。また、支持軸１０のDカット形状部１０Ａ側が嵌合するＤカット状凹部５Ｆを形成するための突出円筒部５Ｈを、図２に示すように、駆動側マグネット４の中央貫通孔４Ｂ内に位置するようにしてあるので、非自吸式ポンプ装置１におけるモータ２の回転軸２Ａ及び支持軸１０の長手方向の長さを短くすることができる。
【００４６】
次に、本発明の実施形態の自吸式のポンプ装置２１（以下、自吸式ポンプ装置２１と称する。）を、図４〜図８に基づき、説明する。図４〜図８において、図１〜図３と同一符号は、同一内容を表している。
【００４７】
図４〜図８に示す自吸式ポンプ装置２１は、モータ２と、このモータ２のモータ収納室２２Ａを形成するモータケース２２と、モータ２の回転軸２Ａに取り付けられた駆動側マグネット４の駆動側マグネット収納室２３Ａを形成する中間ケース２３と、この中間ケース２３の底部２３Ｅを介して駆動側マグネット４に対向する対向面７Ａ側に従動側マグネット６を設けたポンプランナー７のポンプランナー収納室２５Ａを形成し、かつ、吸水口２５Ｂ、吐出口２５Ｃ及び呼び水口２５Ｈを設けたポンプケース２５と、このポンプケース２５内を、渦巻き室となるポンプランナー収納室２５Ａ、吸込み室２５Ｅ及び気水分離室２５Ｄに仕切るための仕切り体２６と、吸込み室２５Ｅから吸水口２５Ｂへの水の逆流を阻止する逆止弁２７を備えている。モータケース２２、中間ケース２３及びポンプケース２５は、合成樹脂製である。駆動側マグネット４及び従動側マグネット６は、非自吸式ポンプ装置１と同様に、同一寸法同一形状として、穴あきコイン状としてある。
【００４８】
モータケース２２は、モータ２の外郭の円筒状部分が挿入されるモータ挿入円筒部２２Ｂと、このモータ挿入円筒部２２Ｂの外周に一体形成した方形の取り付けフランジ２２Ｃと、モータ２の回転軸２Ａを中間ケース２３の駆動側マグネット収納室２３Ａ内に位置させるための貫通孔２２Ｄとから形成されている。取り付けフランジ２２Ｃは、モータ挿入円筒部２２Ｂの外周の中央部分に一体成形してある。中間ケース２３は、駆動側マグネット収納室２３Ａを形成する有底筒状の円筒部２３Ｂと、この円筒部２３Ｂの開口端外周に一体形成した方形の取り付けフランジ２３Ｃと、渦巻き状の流体案内壁（水案内壁）２３Ｄとから形成されている。渦巻き状の流体案内壁２３Ｄは、中間ケース２３の底部２３Ｅの外壁に一体的に形成されている。中間ケース２３の底部２３Ｅの厚さは、約１ｍｍとしてある。
【００４９】
ポンプケース２５は、図４の示すように、外郭形状を略箱状としてある。ポンプケース２５の上面部分には、図４の示すように、吸水口２５Ｂ、吐出口２５Ｃ及び呼び水口２５Ｈが配設されている。渦巻き室となるポンプランナー収納室２５Ａは、図５に示すように、中間ケース２３の底部２３Ｅの外壁に一体的に形成された渦巻き状の流体案内壁２３Ｄと、この流体案内壁２３Ｄの外周に隙間なく嵌合するところの、仕切り体２６に設けた渦巻き壁２６Ａとによって形成される。ポンプケース２５の開口端には、取り付けフランジ２５Ｆが形成されている。
【００５０】
自吸式ポンプ装置２１のモータ２の回転軸２Ａに直結されるマグネットケース９は、図５に示すように、駆動側マグネット４が設けられる円筒状収納部９Ａと、モータ２の回転軸２Ａに圧入される中空ボス部９Ｂとから形成されている。自吸式ポンプ装置２１の駆動側マグネット４は、マグネットケース９の円筒状収納部９Ａ内に、接着剤を用いて固着したり、若しくはインサート成形によって一体化したりすることで、設けられている。自吸式ポンプ装置２１の駆動側マグネット４は、マグネットケース９の円筒状収納部９Ａ内に固定した状態では、その駆動側マグネット４の上面部分４Ａを円筒状収納部９Ａの開口端縁より外方に突出させてある。
【００５１】
モータ２の回転軸２Ａにマグネットケース９の中空ボス部９Ｂが圧入固定された状態では、図５に示すように、駆動側マグネット４と中間ケース２３の底部２３Ｅの内壁との間に隙間Ｇ１が保持されるように、中間ケース２３の円筒部２３Ｂの長さやマグネットケース９の中空ボス部９Ｂのモータ２の回転軸２Ａへの圧入深さ寸法が設定されている。隙間Ｇ１は、最大１ｍｍとし、本実施形態例では、約０．５ｍｍとしてある。
【００５２】
ポンプケース２５のポンプランナー収納室２５Ａには、図５に示すように、モータ２の回転軸２Ａの長手方向と同方向に延びる支持軸１０を設けられている。支持軸１０は、一端側のDカット形状部１０Ａを中間ケース２３の底部２３Ｅの外壁に設けたＤカット状凹部２３Ｆに挿入し、かつ、他端側のDカット形状部１０Bをポンプケース２５の内壁面に設けた筒状凹部２５Ｇに挿入した後、中間ケース２３とポンプケース２５を水密的に一体保持された状態にすることで、中間ケース２３とポンプケース２５との間に挟持される。中間ケース２３には、Ｄカット状凹部２３Ｆを形成するために、その中間ケース２３の底部２３Ｅの内壁側に突出させた突出円筒部２３Ｈが形成されている。この突出円筒部２３Ｈは、図５に示すように、駆動側マグネット４の中央貫通孔４Ｂ内に位置するようにしてある。
【００５３】
ポンプランナー７は、図５に示すように、従動側マグネット６と中間ケース２３の底部２３Ｅの外壁との間に隙間Ｇ２が保持される状態で、支持軸１０に回転可能に保持される。隙間Ｇ２は、最大１ｍｍとし、本実施形態例では、約０．５ｍｍとしてある。ポンプランナー７の中心に圧入される軸受１１は、支持軸１０に嵌合する中空円筒部１１Ａと、この中空円筒部１１Ａに端縁に形成した円形状鍔部１１Ｂとから構成される。ポンプランナー７の対向面７Ａには、従動側マグネット６が、接着剤を用いて固着したり、若しくはインサート成形によって一体化したりすることで、設けられている。その場合、従動側マグネット６は、図５〜図７に示すように、ポンプランナー７の軸体７Ｂに圧入された軸受１１の外周外方に位置するようにしてある。
【００５４】
中間ケース２３の底部２３Ｅの外壁に設けたＤカット状凹部２３Ｆの周縁には、図６に示すように、軸受１１の円形状鍔部１１Ｂに摺接するセラミック体１２を嵌合装着するための凹み部２３Ｇが形成されている。セラミック体１２を凹み部２３Ｇに嵌合装着した状態では、セラミック体１２が回動しないように、セラミック体１２の外周形状及び凹み部２３Ｇの内周形状の何れか一方若しくは両方をDカット形状とするようにしてある。本実施形態では、セラミック体１２の外周形状を、Dカット形状としている。
【００５５】
自吸式ポンプ装置２１の支持軸１０には、図７に示すように、ポンプランナー７のスラスト方向のがたつき調整用のワッシャー１３が挿入されている。支持軸１０には、ワッシャー１３の抜け止めを行うＥリング１４を取り付けるための切り溝部１０Ｃが設けられている。支持軸１０にポンプランナー７を回転自在に取り付けられた状態では、支持軸１０の一部に設けた切り溝部１０Ｃに取り付けたＥリング１４と、少なくとも２枚以上のワッシャー１３とにより、ポンプランナー７のスラスト方向のがたつきが、最大１ｍｍとなるようにし、本実施形態例では、約０．３ｍｍとなるように設定されている。また、ポンプランナー７の中心に圧入された軸受１１の内径と、支持軸１０の外周径とのクリアランスは、最大０．２ｍｍとなるように設定されている。
【００５６】
中間ケース２３の取り付けフランジ２３Ｃには、弾性封止部材２８を装着するための溝部２３Ｊが形成されている。モータケース２２の外周に形成した取り付けフランジ２２Ｃに、中間ケース２３の開口端側に設けた取り付けフランジ２３Ｃ及びポンプケース２５の開口端側に設けた取り付けフランジ２５Ｆを、複数本の螺子２９によって締結することで、中間ケース２３とポンプケース２５は水密的に一体化される。すなわち、モータケース２２の取り付けフランジ２２Ｃと中間ケース２３の取り付けフランジ２３Ｃとポンプケース２５の取り付けフランジ２５Ｆの３者を複数本の螺子２９で締結すると、中間ケース２３とポンプケース２５との間で弾性封止部材２８が圧接挟持されるので、中間ケース２３とポンプケース２５は水密的に一体化される。
【００５７】
モータケース２２のモータ挿入円筒部２２Ｂの開口端には、図５に示すように、モータ２の軸方向のがたつきを押さえるモータパッキング１７を介してモータキャップ１８が装着されている。モータケース２２のモータ挿入円筒部２２Ｂとモータキャップ１８との間からは、モータ２に接続された接続子１９が、モータケース２２の外方に引き出されている。ポンプケース２５の吸水口２５Ｂには、図５の２点鎖線で示すように、揚水用吸水ホース３０が着脱自在に取り付けられる。
【００５８】
ポンプケース２５内は、図５及び図６に示すように、合成樹脂製の仕切り体２６によって、渦巻き室となるポンプランナー収納室２５Ａ、吸込み室２５Ｅ及び気水分離室２５Ｄに仕切られる。吸込み室２５Ｅには、自吸作用により吸い上げた水が吸水口２５Ｂに向って逆流するのを阻止する逆流防止弁２７と、この逆流防止弁２７をポンプケース２５内に形成された封止弁座２５Ｋに押し付ける封止ばね２４とが設けられている。ポンプケース２５と仕切り体２６とは、ポンプケース２５の内壁に設けた凸状リブ２５Ｊを仕切り体２６の側壁に設けた凹み２６Ｂに、弾性封止部材３１を介在させて装着させることによって、水密的に取り付けられる。中間ケース２３とポンプケース２５は、弾性封止部材２８を介して水密的に取り付けられることにより、ポンプケース２５内の上部に気水分離室２５Ｄが形成される。
【００５９】
上記実施形態の自吸式ポンプ装置２１では、始めに、揚水用吸水ホース３０をポンプケース２５の吸水口２５Ｂに装着した後、呼び水口２５Ｈから中間ケース２３と仕切り体２６で構成されるポンプランナー収納室（渦巻室）２５Ａ及び気水分離室２５Ｄに、呼び水を注入する。次いで、自吸式ポンプ装置２１の内部に、呼び水が注入された状態で、モータ２を回転させると、モータ２の回転軸２Ａに設けたマグネットケース９及び駆動用マグネット４が、モータ２の回転数と同一で回転する。すると、ポンプランナー７と一体となる従動用マグネット６が、駆動用マグネット４に磁力で吸引されて同期回転するため、ポンプランナー７が高速で回転して、ポンプランナー７の中心は負圧となる。
【００６０】
そして、ポンプランナー７の中心が負圧になると、この負圧に引かれて揚水用吸水ホース３０内の空気が、ポンプランナー７側に吸込まれて、呼び水と気水混合された状態となり、ポンプランナー収納室（渦巻室）２５Ａを高速で通過し、中間ケース２３とポンプケース２５により形成された気水分離室２５Ｄへと導かれる。この場合、ポンプランナー収納室（渦巻室）２５Ａの狭い空間を高速で通過した空気を含んだ呼び水は、広い空間の気水分離室２５Ｄに導かれて流速が低下する。そのため、呼び水に混合された空気は、その呼び水から分離してポンプケース２５の吐出口２５Ｃ及び呼び水口２５Ｈから排出される。そして、揚水用吸水ホース３２内の空気が完全に排出されると、ポンプケース２５の吸水口２５Ｂより揚水された水が、吸込み室２５Ｅを介してポンプランナー収納室（渦巻室）２５Ａから気水分離室２５Ｄに流入して、吐出口２５Ｃ及び呼び水口２５Ｈから、所定の流量で吐出されるようになる。
【００６１】
次に、上記実施形態の自吸式ポンプ装置２１の組立作業は、次のようにして行なわれる。
【００６２】
まず、図６に示すように、モータ２を、モータケース２２のモータ収納室２２Ａに、そのモータ２の回転軸２Ａがモータケース２２の貫通孔２２Ｄから外方に突出した状態となるように、挿入する。
【００６３】
次いで、モータケース２２の貫通孔２２Ｄから外方に突出したモータ２の回転軸２Ａに、駆動用マグネット４を予め固着収納したマグネットケース９の中空ボス部９Ｂを、所定の深さまで圧入することで、モータ２の回転軸２Ａに、マグネットケース９及び駆動用マグネット４を取り付ける。
【００６４】
次いで、中間ケース２３の円筒部２３Ｂを、モータケース２２のモータ挿入円筒部２２Ｂの外周に嵌合させた後、中間ケース２３の外側のセラミック体嵌合用の凹み部２３Ｇにセラミック体１２を装着する。
【００６５】
次いで、予めワッシャー１３及びＥリング１４を装着した支持軸１０のDカット形状部１０Ａ側を、ポンプランナー７に装着した軸受１１を貫挿させて、中間ケース２３の底部２３Ｅに形成したＤカット状凹部２３Ｆに嵌合させることで、従動側マグネット６が駆動用マグネット４と対向した状態となり、かつ、セラミック体１２に軸受１１が摺接するように、ポンプランナー７を支持軸１０に回転自在に取り付ける。
【００６６】
次いで、ポンプケース２５内に逆流防止弁２７及びこの逆流防止弁２７を封止弁座２５Ｋに押し付ける封止ばね２４を装着するとともに、ポンプケース２５の内壁に設けた凸状リブ２５Ｊに、弾性封止部材３１を介して仕切り体２６の側壁に設けた凹み２６Ｂを押圧させた後、支持軸１０のDカット形状部１０Ｂ側をポンプケース２５の筒状凹部２５Ｇに嵌合させつつ、中間ケース２３の水案内壁２３Ｄの外周に仕切り体２６の渦巻き壁２６Ａの内周を嵌合されることで、ポンプランナー収納室（渦巻室）２５Ａを形成する。なお、中間ケース２３の取り付けフランジ２３Ｃに形成されている溝部２３Ｊに、弾性封止部材２８を、予め取り付けた状態で、中間ケース２３の水案内壁２３Ｄの外周に、仕切り体２６の渦巻き壁２６Ａの内周を嵌合する。
【００６７】
最後に、モータケース２２の取り付けフランジ２２Ｃと中間ケース２３の取り付けフランジ２３Ｃとポンプケース２５の取り付けフランジ２５Ｆの３者を、複数本の螺子２９で締結すれば、中間ケース２３とポンプケース２５との間で、弾性封止部材２８が圧接挟持された状態となり、中間ケース２３とポンプケース２５が水密的に一体化されて、自吸式ポンプ装置２１の組立作業が終了する。
【００６８】
以上のように、上記実施形態の自吸式ポンプ装置２１によれば、円滑に難なく組立作業を行うことができ、生産性が優れている。
【００６９】
さらに、上記実施形態の自吸式ポンプ装置２１によれば、モータ２を回転させると、中間ケース２３の駆動側マグネット収納室２３Ａ内で、マグネットケース９及び駆動側マグネット４が高速回転する。駆動側マグネット４が高速回転すると、従動側マグネット６を設けたポンプランナー７が、高速回転して、吸水口２５Ｂからポンプケース２５内に揚水した流体を吐出口２５Ｃから効率よく吐出させることができる。この場合、ポンプケース２５内の水が、中間ケース２３により遮断されて、モータケース２２のモータ収納室２２Ａ側に浸入することがないので、モータ２及びモータ２の周りの電気部品を水で濡らすことがないとともに、モータケース２２のモータ収納室２２Ａ側に浸入した水が、そのモータケース２２から外部に流出して、自吸式ポンプ装置２１と一緒に設置されている電気部品を濡らしてしまうようなことがなくなるので、安全性が高く、かつ、長寿命化が図られる。しかも、上記自吸式ポンプ装置２１によれば、縦寸法約１２０ｍｍ×横寸法６０ｍｍ×高さ９６ｍｍ以内という小形化が可能であり、かつ、小形化されても、揚程約１．２ｍのときに、吐出流量約１０リットル／分というポンプ性能が得られる。
【００７０】
さらに、上記実施形態の自吸式ポンプ装置２１によれば、ポンプランナー７の中心に圧入された軸受１１の内径と支持軸１０の外周径とのクリアランスが０．２ｍｍ以内に、しかも、支持軸１０に設けた切り溝部１０Ｃに設けたＥリング１４と、少なくとも２枚以上のワッシャー１３とにより、ポンプランナー７のスラスト方向のがたつきが、１ｍｍ以内に抑えることで、支持軸１０に対するポンプランナー７の回転振れが抑えられるので、ポンプランナー７を円滑に回転させることができる。
【００７１】
さらに、上記実施形態の自吸式ポンプ装置２１によれば、ポンプランナー７が回転可能に保持する支持軸１０は、一端側を、中間ケース２３の底部２３Ｅの外壁に設けたＤカット状凹部２３Ｆに挿入し、かつ、他端側を、ポンプケース２５の内壁面に設けた筒状凹部２５Ｇに挿入した後、中間ケース２３とポンプケース２５との間に挟持し、ポンプランナー７の軸体中心に圧入される軸受１１を、支持軸１０に嵌合する中空円筒部１１Ａと、この中空円筒部１１Ａに端縁に形成した円形状鍔部１１Ｂとから構成するとともに、中間ケース２３の底部２３Ｅの外壁に設けたＤカット状凹部部分２３Ｆに中空円筒形状のセラミック体１２を装着して、このセラミック体１２に、カーボン製の軸受１１の円形状鍔部１１Ｂを摺接させるようにしたので、支持軸１０およびセラミック体１２は、ポンプランナー７と一緒に回転することがなく、ポンプランナー７を円滑に回転させることができる。
【００７２】
さらに、上記実施形態の自吸式ポンプ装置２１によれば、モータケース２２のモータ挿入円筒部２２Ｂにおけるモータ２の回転軸２Ａの突出側を覆うように、そのモータ挿入円筒部２２Ｂの外周に、中間ケース２３の円筒部２３Ｂを嵌合させた状態で、モータケース２２に中間ケース２３及びポンプケース２５取り付けるようにしてあるので、ポンプケース２５内の水（流体）が中間ケース２３内に流れ込むことがなく、モータケース２２の貫通孔２２Ｄからモータ収納室２２Ａ内にポンプケース２５内の水が流れ込むことがないので、モータ収納室２２Ａ側への水の浸入を阻止するための、メカニカルシールなどの特別なシール装置を設ける必要性がなくなったため、安価で、生産性が向上する。また、モータケース２２には、水抜き穴を設けなくともよいので、モータケース２２を成形する金型が簡単となるため、この点でも、生産性が向上する。
【００７３】
次に、本発明の他実施形態その１の自吸式ポンプ装置３２を、図９に基づき、説明する。図９において、図４〜図８と同一符号は同一内容を表している。
【００７４】
図４〜図８に示す自吸式ポンプ装置２１では、駆動側マグネット４と従動側マグネット６を、モータ２の回転軸２Ａに対して直角方向の面で対向させている。それに対して、図９に示す他実施形態その１の自吸式ポンプ装置３２では、モータ２の回転軸２Ａに直結させたマグネット支持部材３３に円筒状駆動側マグネット３４を設け、かつ、ポンプランナー７の側面（対向面）７Ａに円筒状従動側マグネット３５を設けるとともに、この円筒状従動側マグネット３５を、中間ケース２３の底部２３Ｅを介して円筒状駆動側マグネット３４の外方（回転軸２Ａ及び支持軸１０の回転軸に対して直角方向）に位置するように配設させている。このように、円筒状駆動側マグネット３４の外方に（周囲を囲むように）円筒状従動側マグネット３５を配設する構造としても、図４〜図８に示す自吸式ポンプ装置２１と同等のポンプ性能を奏しえる。
【００７５】
次に、本発明の他実施形態その２の自吸式ポンプ装置３６を、図１０及び図１１に基づき、説明する。図１０及び図１１において、図４〜図８と同一符号は同一内容を表している。
【００７６】
図４〜図８に示す自吸式ポンプ装置２１では、モータ２の回転軸２Ａ及びポンプランナー７の支持軸１０の回転軸が略水平となる構造、いわゆる、横形構造としている。それに対して、図１０及び図１１に示す他実施形態その２の自吸式ポンプ装置３６では、モータ２の回転軸２Ａ及びポンプランナー７の支持軸１０の回転軸が略垂直となる構造、いわゆる、縦形構造としている。すなわち、自吸式ポンプ装置３６は、モータ２と、このモータ２のモータ収納室２２Ａを形成するモータケース２２と、モータ２の回転軸２Ａに取り付けられた駆動側マグネット４の駆動側マグネット収納室３７Ａを形成する中間ケース３７と、この中間ケース３７の底部３７Ｅを介して駆動側マグネット４に対向する従動側マグネット６と、この従動側マグネット６を取り付けたポンプランナー７と、このポンプランナー７のポンプランナー収納室３８Ａが形成され、かつ、吐出口３８Ｃ及び呼び水口３８Ｈを設けたポンプケース３８と、このポンプケース３８内を、渦巻き室となるポンプランナー収納室３８Ａ、吸込み室３８Ｅ及び気水分離室３８Ｄに仕切るための仕切り体２６と、吸込み室３８Ｅへの吸込み水平通路３９Ａを形成するための底板３９と、中間ケース３７に設けた吸水口３７Ｋに一体形成された垂直通路管体３７Ｌを吸込み水平通路３９Ａに水密的に連結するためのパッキング４０と、吸込み室３８Ｅから吸込み水平通路３９Ａへの逆流を阻止する逆止弁２７とを備えている。底板３９は、ポンプケース３８の外底部に一体に形成された吸込み水平通路用の枠体３８Ｋに水密的に固定されている。
【００７７】
図１０及び図１１に示す他実施形態その２の自吸式ポンプ装置３６では、モータ２の回転軸２Ａ及びポンプランナー７の支持軸１０が垂直方向となるように、上から下に向って、モータ２、駆動側マグネット４、従動側マグネット６及びポンプランナー７の順で、配置するようにしてある。中間ケース３７は、駆動側マグネット収納室３７Ａを形成する有底筒状の円筒部３７Ｂと、この円筒部３７Ｂの開口端外周に一体形成した方形の取り付けフランジ３７Ｃと、底部３７Ｅの外壁に一体的に形成された渦巻き状の流体案内壁（水案内壁）３７Ｄとから形成されている。渦巻き状の流体案内壁３７Ｄは、中間ケース３７の底部３７Ｅの外壁に一体的に形成されている。中間ケース３７の底部３７Ｅの厚さは、約１ｍｍとしてある。中間ケース３７の取り付けフランジ３７Ｃには、揚水用吸水ホース３０が接続される吸水口３７Ｋを、一体に形成してある。
【００７８】
外郭形状を略箱状としたポンプケース３８の側面上部には、図１０の示すように、吐出口３８Ｃ及び呼び水口３８Ｈが配設されている。渦巻き室となるポンプランナー収納室３８Ａは、図１０に示すように、中間ケース３７の底部３７Ｅの外壁に一体的に形成された渦巻き状の流体案内壁３７Ｄと、この流体案内壁３７Ｄの外周に隙間なく嵌合するところの、仕切り体２６に設けた渦巻き壁２６Ａとによって形成される。ポンプケース３８の上端開口部には、取り付けフランジ３８Ｆが形成されている。ポンプケース３８と仕切り体２６とは、ポンプケース３８の内壁に設けた凸状リブ３８Ｂを仕切り体２６の側壁に設けた凹み２６Ｂに、弾性封止部材３１を介在させて装着させることによって、水密的に取り付けられる。
【００７９】
モータ２の回転軸２Ａにマグネットケース９の中空ボス部９Ｂが圧入固定された状態では、図１０に示すように、駆動側マグネット４と中間ケース３７の底部３７Ｅの内壁との間に隙間Ｇ１が保持されるように、中間ケース３７の円筒部３７Ｂの長さやマグネットケース９の中空ボス部９Ｂのモータ２の回転軸２Ａへの圧入深さ寸法が設定されている。隙間Ｇ１は、最大１ｍｍとし、本実施形態例では、約０．５ｍｍとしてある。ポンプランナー７は、図１０に示すように、従動側マグネット６と中間ケース３７の底部３７Ｅの外壁との間に隙間Ｇ２が保持される状態で、支持軸１０に回転可能に保持される。隙間Ｇ２は、最大１ｍｍとし、本実施形態例では、約０．５ｍｍとしてある。
【００８０】
ポンプケース３８のポンプランナー収納室３８Ａには、図１０及び図１１に示すように、モータ２の回転軸２Ａの長手方向と同方向に延びる支持軸１０が設けられている。支持軸１０は、一端側のDカット形状部１０Ａを中間ケース３７の底部３７Ｅの外壁に設けたＤカット状凹部３７Ｆに挿入し、かつ、他端側のDカット形状部１０Bをポンプケース３８の内壁面に設けた筒状凹部３８Ｇに挿入した後、中間ケース３７とポンプケース３８を水密的に一体保持された状態にすることで、中間ケース３７とポンプケース３８との間に挟持される。中間ケース３７には、Ｄカット状凹部３７Ｆを形成するために、その中間ケース３７の底部３７Ｅの内壁側に突出させた突出円筒部３７Ｈが形成されている。この突出円筒部３７Ｈは、図１０に示すように、駆動側マグネット４の中央貫通孔４Ｂに位置するようにしてある。
【００８１】
中間ケース３７の底部３７Ｅに設けたＤカット状凹部３７Ｆ部分には、図１０に示すように、中空円筒形状のセラミック体１２を装着してある。このセラミック体１２には、軸受１１の円形状鍔部１１Ｂが摺接するようにしてある。中間ケース３７の底部３７Ｅの外壁に設けたＤカット状凹部３７Ｆの周縁には、図１１に示すように、セラミック体１２を装着する凹み部３７Ｇが形成されている。セラミック体１２の外周は、Dカット形状としてある。凹み部３７Ｇも、セラミック体１２の外周が嵌合可能なように、Dカット形状としてある。
【００８２】
上記実施形態の自吸式ポンプ装置３６によれば、モータ２を回転させると、中間ケース３７の駆動側マグネット収納室３７Ａ内で、マグネットケース９及び駆動側マグネット４が高速回転する。駆動側マグネット４が高速回転すると、従動側マグネット６を設けたポンプランナー７が、高速回転して、吸水口３７Ｋからポンプケース３８内に揚水した水を吐出口３８Ｃから効率よく吐出させることができる。この場合、ポンプケース３８内の水が、中間ケース３７により遮断されて、モータケース２２のモータ収納室２２Ａ側に浸入することがないので、モータ２及びモータ２の周りの電気部品を流体で濡らすことがないとともに、モータケース２２のモータ収納室２２Ａ側に浸入した水が、そのモータケース２２から外部に流出して、自吸式ポンプ装置３６と一緒に設置されている電気部品を濡らしてしまうようなことがなくなるので、安全性が高く、かつ、長寿命化が図られる。
【００８３】
さらに、上記実施形態の自吸式ポンプ装置３６によれば、モータケース２２のモータ挿入円筒部２２Ｂにおけるモータ２の回転軸２Ａの突出側を覆うように、そのモータ挿入円筒部２２Ｂの外周に、中間ケース３７の円筒部３７Ｂを嵌合させた状態で、モータケース２２に中間ケース３７及びポンプケース３８を取り付けるようにしてあるので、ポンプケース３８内の水（流体）が中間ケース３７内に流れ込むことがなく、モータケース２２の貫通孔２２Ｄからモータ収納室２２Ａ内にポンプケース２５内の水が流れ込むことがないので、モータ収納室２２Ａ側への水の浸入を阻止するための、メカニカルシールなどの特別なシール装置を設ける必要性がなくなったため、安価で、生産性が向上する。また、モータケース２２には、従来のように水抜き穴を設けなくともよいので、モータケース２２を成形する金型が簡単となるため、この点でも、生産性が向上する。したがって、自吸式ポンプ装置３６ように、縦形構造としても、図４〜図８に示す自吸式ポンプ装置２１と同等のポンプ性能を奏しえる。
【００８４】
次に、本発明の実施形態の自吸式ポンプ装置２１を用いた洗濯機４１の一例を、図１２及び図１３に基づいて説明する。
【００８５】
図１２に示す全自動式の洗濯機４１は、外枠４２と、この外枠４２内に収納された洗濯槽４３と、水道水を洗濯槽４３内に直接給水するための給水電磁弁４４と、給水電磁弁４４から流出してきた水道水を洗濯槽４３内に導く水道水案内部材４５と、洗濯槽４３内の水を排出するための排水弁４６などからなる排水手段を備えている。外枠４２の上面を覆う合成樹脂からなるトップカバー４７の後部に形成した収納凹部４７Ａには、図１２に示すように、上記実施形態の自吸式ポンプ装置２１、給水電磁弁４４、水道水案内部材４５が配設されている。給水電磁弁４４の水道水流入口４４Ａには、水栓に連結された水道水給水ホース（図示せず）が着脱自在に接続される。
【００８６】
水道水案内部材４５は、図１３に示すように、洗濯用として洗濯槽４３に給水される水の一部がポンプ呼び水となるように、自吸式ポンプ装置２１内に呼び水口２５Ｈより給水される水通路４５Ａと、柔軟仕上げ剤を希釈して洗濯槽４３に導く水通路部４５Ｂと、吸水した風呂の残り湯を洗濯槽に導く水通路部４５Ｃより構成される。
【００８７】
自吸式ポンプ装置２１は、図１３に示すように、洗濯機４１のトップカバー４７内で、よりコンパクトに収納されるように給水電磁弁４４や水位センサー４８や蓋開閉検知装置（図示せず）などの電気部品の近傍に配置されている。
【００８８】
以上のように、洗濯機４１のトップカバー４７内には、自吸式ポンプ装置２１とともに、色々な電気部品が収納されているため、従来のポンプ装置のように磨耗や熱劣化で水漏れに至る可能性のある軸封部材を使用した構造のものでは、非常に危険であったが、本発明による自吸式ポンプ２１を採用することで、トップカバー４７内への水漏れを防止することが可能になった。よって、本発明の実施形態の自吸式ポンプ装置２１を用いた洗濯機４１によれば、風呂水を洗濯槽４３に給水するようにした構造であっても、トップカバー４７内への水漏れが起因することによる電気不良等を起こすことなく、信頼性の高い洗濯機を提供することができる。なお、洗濯機４１には、全自動洗濯機のみでなく、洗濯乾燥機（縦形タイプ及びドラムタイプを含む）などであってもよい。
【図面の簡単な説明】
【００８９】
【図１】本発明の一実施形態に係る非自吸式のポンプ装置の外観斜視図である。
【図２】本発明の実施形態に係る非自吸式のポンプ装置の要部縦断面図である。
【図３】本発明の実施形態に係る非自吸式のポンプ装置を分解した状態を示す要部全体縦断面図である。
【図４】本発明の実施形態に係る自吸式のポンプ装置の外観斜視図である。
【図５】本発明の実施形態に係る自吸式のポンプ装置の要部縦断面図である。
【図６】本発明の実施形態に係る自吸式のポンプ装置を分解した状態を示す要部全体縦断面図である。
【図７】本発明の実施形態に係る自吸式のポンプ装置における要部拡大縦断面図である。
【図８】本発明の実施形態に係る自吸式のポンプ装置の中間ケース、ポンプランナー及びポンプケース部分の分解斜視図である。
【図９】本発明の他実施形態その１に係る自吸式のポンプ装置における要部拡大縦断面図である。
【図１０】本発明の他実施形態その２に係る自吸式のポンプ装置の要部縦断面図である。
【図１１】本発明の他実施形態その２に係る自吸式のポンプ装置を分解した状態を示す要部全体縦断面図である。
【図１２】本発明の実施形態に係る自吸式のポンプ装置を搭載した洗濯機の外観斜視図である。
【図１３】本発明の実施形態に係る自吸式のポンプを搭載した洗濯機における収納カバーを取り除いた状態のトップカバーの要部上面図である。
【符号の説明】
【００９０】
１        非自吸式ポンプ装置
２        モータ
２Ａ      回転軸
３        モータケース
３Ａ      モータ収納室
３Ｂ      モータ挿入円筒部
３Ｃ      取り付けフランジ
３Ｄ      貫通孔
４        駆動側マグネット
４Ａ      上面部分
４Ｂ      中央貫通孔
５        中間ケース
５Ａ      駆動側マグネット収納室
５Ｂ      円筒部
５Ｃ      取り付けフランジ
５Ｄ      底部内壁
５Ｅ      底部外壁
５Ｆ      Ｄカット状凹部
５Ｇ      セラミック体嵌合用の凹み部
５Ｈ      突出円筒部
６        従動側マグネット
７        ポンプランナー
７Ａ      対向面
７Ｂ      軸体
８        ポンプケース
８Ａ      ポンプランナー収納室
８Ｂ      円筒部
８Ｃ      吸水口
８Ｄ      吐出口
８Ｅ      取り付けフランジ
８Ｆ      筒状凹部
８Ｇ      段部
８Ｈ      通水孔
９        マグネットケース
９Ａ      円筒状収納部
９Ｂ      中空ボス部
１０      支持軸
１０Ａ    Ｄカット形状部
１０Ｂ    Ｄカット形状部
１０Ｃ    切り溝部
１１      軸受
１１Ａ    中空円筒部
１１Ｂ    円形状鍔部
１２      セラミック体
１３      ワッシャー
１４      Ｅリング
１５      弾性封止部材
１６      螺子
１７      モータパッキング
１８      モータキャップ
１９      接続子
２０      吸込みホース
２１      自吸式ポンプ装置
２２      モータケース
２２Ａ    モータ収納室
２２Ｂ    モータ挿入円筒部
２２Ｃ    取り付けフランジ
２２Ｄ    貫通孔
２３      中間ケース
２３Ａ    駆動側マグネット収納室
２３Ｂ    円筒部
２３Ｃ    取り付けフランジ
２３Ｄ    渦巻き状の流体案内壁
２３Ｅ    底部
２３Ｆ    Ｄカット状凹部
２３Ｇ    セラミック体嵌合用の凹み部
２３Ｈ    突出円筒部
２３Ｊ    溝部
２４      封止ばね
２５      ポンプケース
２５Ａ    ポンプランナー収納室
２５Ｂ    吸水口
２５Ｃ    吐出口
２５Ｄ    気水分離室
２５Ｅ    吸込み室
２５Ｆ    取り付けフランジ
２５Ｇ    筒状凹部
２５Ｈ    呼び水口
２５Ｊ    凸状リブ
２５Ｋ    封止弁座
２６      仕切り体
２６Ａ    渦巻き状嵌合壁
２６Ｂ    凹み
２７      逆止弁
２７Ａ    封止ばね
２８      弾性封止部材
２９      螺子
３０      揚水用吸水ホース
３１      弾性封止部材
３２      自吸式ポンプ装置（他実施形態その１）
３３      マグネットケース
３４      円筒状駆動側マグネット
３５      円筒状従動側マグネット
３６      自吸式ポンプ装置（他実施形態その２）
３７      中間ケース
３７Ａ    駆動側マグネット収納室
３７Ｂ    円筒部
３７Ｃ    取り付けフランジ
３７Ｄ    渦巻き状の流体案内壁
３７Ｅ    底部
３７Ｆ    Ｄカット状凹部
３７Ｇ    セラミック体嵌合用の凹み部
３７Ｈ    突出円筒部
３７Ｋ    吸水口
３７Ｌ    垂直通路管体
３８      ポンプケース
３８Ａ    ポンプランナー収納室
３８Ｂ    凸状リブ
３８Ｃ    吐出口
３８Ｄ    気水分離室
３８Ｅ    吸込み室
３８Ｆ    取り付けフランジ
３８Ｇ    筒状凹部
３８Ｈ    呼び水口
３８Ｊ    溝部
３８Ｋ    枠体
３９      底板
３９Ａ    吸込み水平通路
４０      パッキング
４１      洗濯機
４２      外枠
４３      洗濯槽
４４      給水電磁弁
４４Ａ    水道水流入口
４５      水案内部材
４５Ａ    呼び水用水通路
４５Ｂ    柔軟剤希釈用水通路
４５Ｃ    風呂水給水水通路
４６      排水弁
４７      トップカバー
４７Ａ    収納凹部
４８      水位センサー
【図１】
2008008169.tif 000003
【図２】
2008008169.tif 000004
【図３】
2008008169.tif 000005
【図４】
2008008169.tif 000006
【図５】
2008008169.tif 000007
【図６】
2008008169.tif 000008
【図７】
2008008169.tif 000009
【図８】
2008008169.tif 000010
【図９】
2008008169.tif 000011
【図１０】
2008008169.tif 000012
【図１１】
2008008169.tif 000013
【図１２】
2008008169.tif 000014
【図１３】
2008008169.tif 000015